(57)【特許請求の範囲】
【請求項１】
周壁１上端部に環状突部２を周設し、かつ頂壁３中央部から上面閉塞のステム案内筒５を突設すると共に、該ステム案内筒頂壁を貫設させて上方付勢状態で噴出用ステム６を起立したエアゾール缶Ａと、
上記噴出用ステム６上端へ嵌合させたステム嵌合筒７を頂壁中央部から垂設すると共に、頂壁後部から係合板９を後方突設したノズル付き押下げヘッドＢと、
上記ステム案内筒５と環状突部２とのうちのいずれかの一方へ、基筒部１６を抜出し不能に嵌合させ、かつ該基筒部から起立させた起立板１７上端を上記係合板９下面へ係合させると共に、起立板１７上端から垂下する垂下板を案内凹部１２底面へ摺動自在に係合させたストッパ部材Ｄとからなり、
上記押下げヘッドＢとストッパ部材Ｄとのうちのいずれかの一方が他方に対して回動可能として、起立板１７上面と係合板９下面との係合位置と非係合位置とが、自由に選択可能に形成した、
ことを特徴とするエアゾール式噴出容器。
【請求項２】
周壁１上端部に環状突部２を周設し、かつ頂壁３中央部から上面閉塞のステム案内筒５を突設すると共に、該ステム案内筒頂壁を貫設させて上方付勢状態で噴出用ステム６を起立したエアゾール缶Ａと、
上記噴出用ステム６上端へ嵌合させたステム嵌合筒７を頂壁中央部から垂設すると共に、頂壁外周から外周壁８を垂下し、更に頂壁後部から係合板９を後方突設したノズル付き押下げヘッドＢと、
上記環状突部２の内外両周面へ緊密に嵌着させた内外筒１０ａ、１０ｂ間の上面を頂板１１で閉塞すると共に、その頂板上面の後部を周方向へ長く切除して前後両面開口の周方向への案内凹部１２を形成した基部材Ｃと、
上記ステム案内筒５外面へ基筒部１６下半を抜出し不能に嵌合させ、かつ該基筒部下半後部から起立させた起立板１７上端を上記係合板９下面へ係合させると共に、起立板１７上端から垂下する垂下板を案内凹部１２底面へ摺動自在に係合させ、更に基筒部１６上半の上端部外面に形成した第１係合突部１８下面を、上記押下げヘッド外周壁８下端部内面に形成した第２係合突部１９上面に係合させたストッパ部材Ｄとを有し、
かつ上記押下げヘッド外周壁８下端の前部と上記内筒１０ａ上端部の前部とを弾性片１５を介して連結し、
上記ストッパ部材Ｄをステム案内筒５に対して回動可能として、起立板１７上面と係合板９下面との係合位置と非係合位置とが、自由に選択可能に形成した、
ことを特徴とするエアゾール式噴出容器。
【発明の詳細な説明】
【０００１】
【発明の属する技術分野】
本発明はエアゾール式噴出容器に関する。
【０００２】
【従来の技術】
一般に使用されているエアゾール式噴出容器として、周壁上端部に環状突部を周設すると共に、頂壁中央部を貫設させて噴出用ステムを上方付勢させて起立し、該噴出用ステム上端にノズル付き押下げヘッドを嵌合させたエアゾール缶本体と、上記環状突部外面へ嵌合させた周壁上端へ付設した内向きフランジを環状突部上面へ載置し、かつその内向きフランジ内周からキャップ嵌合筒を起立する環状部材とで形成したものが知られている。
【０００３】
【発明が解決しようとする課題】
上記エアゾール式噴出容器は押下げヘッドの押下げを不能にするロック手段を有しないため、子供の悪戯等により液体が噴出させられるおそれがあった。
【０００４】
請求項１及び２記載のエアゾール式噴出容器は、ノズル付き押下げヘッド外周壁から突設する係合板へ係合してノズル付き押下げヘッドの押下げを不能にするストッパ部材を設けることにより、ストッパ部材を係合板との非係合位置に位置させない限り噴出しないようにして、子供の悪戯等による本来の目的以外の噴出防止を図ろうとするものである。
【０００５】
【課題を解決するための手段】
第１の手段として、周壁１上端部に環状突部２を周設し、かつ頂壁３中央部から上面閉塞のステム案内筒５を突設すると共に、該ステム案内筒頂壁を貫設させて上方付勢状態で噴出用ステム６を起立したエアゾール缶Ａと、
上記噴出用ステム６上端へ嵌合させたステム嵌合筒７を頂壁中央部から垂設すると共に、頂壁後部から係合板９を後方突設したノズル付き押下げヘッドＢと、上記ステム案内筒５と環状突部２とのうちのいずれかの一方へ、基筒部１６を抜出し不能に嵌合させ、かつ該基筒部から起立させた起立板１７上端を上記係合板９下面へ係合させると共に、起立板１７上端から垂下する垂下板を案内凹部１２底面へ摺動自在に係合させたストッパ部材Ｄとからなり、
上記押下げヘッドＢとストッパ部材Ｄとのうちのいずれかの一方が他方に対して回動可能として、起立板１７上面と係合板９下面との係合位置と非係合位置とが、自由に選択可能に形成した。
【０００６】
第２の手段として、周壁１上端部に環状突部２を周設し、かつ頂壁３中央部から上面閉塞のステム案内筒５を突設すると共に、該ステム案内筒頂壁を貫設させて上方付勢状態で噴出用ステム６を起立したエアゾール缶Ａと、
上記噴出用ステム６上端へ嵌合させたステム嵌合筒７を頂壁中央部から垂設すると共に、頂壁外周から外周壁８を垂下し、更に頂壁後部から係合板９を後方突設したノズル付き押下げヘッドＢと、
上記環状突部２の内外両周面へ緊密に嵌着させた内外筒１０ａ、１０ｂ間の上面を頂板１１で閉塞すると共に、その頂板上面の後部を周方向へ長く切除して前後両面開口の周方向への案内凹部１２を形成した基部材Ｃと、
上記ステム案内筒５外面へ基筒部１６下半を抜出し不能に嵌合させ、かつ該基筒部下半後部から起立させた起立板１７上端を上記係合板９下面へ係合させると共に、起立板１７上端から垂下する垂下板を案内凹部１２底面へ摺動自在に係合させ、更に基筒部１６上半の上端部外面に形成した第１係合突部１８下面を、上記押下げヘッド外周壁８下端部内面に形成した第２係合突部１９上面に係合させたストッパ部材Ｄとを有し、
かつ上記押下げヘッド外周壁８下端の前部と上記内筒１０ａ上端部の前部とを弾性片１５を介して連結し、
上記ストッパ部材Ｄをステム案内筒５に対して回動可能として、起立板１７上面と係合板９下面との係合位置と非係合位置とが、自由に選択可能に形成した。
【０００７】
【発明の実施の形態】
以下、図面を参照しながら本発明に係るエアゾール式噴出容器の一実施形態について説明する。
Ａはエアゾール缶で、周壁１上端部から、周壁上端部よりも大外径の環状突部２を、頂壁３外周部を共に巻締めして起立させて、環状突部２下外面と周壁１上端部外面との間に凹溝４を周設し、かつ頂壁３中央部から上面閉塞のステム案内筒５を突設すると共に、該ステム案内筒頂壁を貫設させて上方付勢状態で噴出用ステム６を起立する。
【０００８】
Ｂはノズル付き押下げヘッドで、噴出用ステム６上端へ嵌合させたステム嵌合筒７を頂壁中央部から垂設すると共に、頂壁外周から外周壁８を垂下し、更に頂壁後部から係合板９を後方突設する。
【０００９】
Ｃは基部材で、環状突部２の内周面へ内筒１０ａ下部を緊密に嵌着させると共に、環状突部２の外周面へ外筒１０ｂ下部を緊密に嵌着させて、この外筒下端部内面の突条をエアゾール缶周壁１の凹溝４内へ嵌合させる。そして、これら内外筒間の上面を頂板１１で閉塞すると共に、この頂板上面の後部を周方向へ長く切除して、前後両面開口の周方向への案内凹部１２を形成する。
なお、内筒１０ａ上端部外面と外筒１０ｂ上端部内面とを接続する補強板１１ａを頂壁１１下面から垂下して、その補強板１１ａ下端を環状突部２上面へ係合させる。補強板１１ａは周方向に所定の間隔をおいて複数設ける。
【００１０】
この案内凹部１２の左右両端は、後述のストッパ部材Ｄが当接自在な当接段部１３を形成する。
また、案内凹部１２の外周縁に係合段部１４を形成する。
なお、請求項２記載のように押下げヘッド外周壁８下端前部と内筒１０ａ上端部前部とを弾性片１５を介して連結することにより、組立時におけるノズル付き押下げヘッドＢの位置決めを容易にする。
【００１１】
Ｄはストッパ部材で、ステム案内筒５外面へ基筒部１６下半を抜出し不能に、かつ回動自在に嵌合させる、そして、基筒部下半後部から起立させた起立板１７上端を後方へ水平に屈曲して、この屈曲部を係合板９下面へ当接させると共に、屈曲部の左右両側端と前側端とのそれぞれから左右両側板と前板とを垂下して、これらの下端面を案内凹部１２底面へ摺動自在に載置させると共に、前板下端を係合段部１４へ摺動自在に係合させる。一方、起立板１７の下端部は内筒１０ａの後部内面へ摺動自在に係合させる。
【００１２】
さらに基筒部１６上半の上端外面に形成した第１係合突部１８下面を、押下げヘッド外周壁８下端内面に形成した第２係合突部１９上面へ摺動自在に係合させる。
なお、基筒部１６の上下方向中間部内面に付設した内向きフランジ２０下面をステム案内筒５上面へ摺動自在に係合させる。
【００１３】
次に本実施形態の作用について説明する。
エアゾール缶Ａ内の液体等を噴出させるには、図１に示すように、ストッパ部材Ｄを周方向へ移動させて起立板１７上端を係合板９から離脱させた後、ノズル付き押下げヘッドＢを噴出用ステム６の上方付勢力に抗して押し下げればよく、すると液体等がノズルから噴出する。なお、通常はストッパ部材Ｄを当接段部１３へ当接するまで移動させて係合板９から離脱させる。
【００１４】
噴出後は、図２及び図３に示すように、ストッパ部材Ｄを上記と反対方向へ移動させて、起立板１７上端を係合板９下面へ係合させておけばノズル付き押下げヘッドＢの押下げを不能にすることができる。
なお、上記ではストッパ部材Ｄを移動させることにより、係合板９を係合又は非係合状態にしているが、一般に噴出用ステム６は回動自在であるためノズル付き押下げヘッドＢは回動自在であり、従って、上記と逆にストッパ部材Ｄを常時固定状態にしておき、かつ押下げヘッドＢを回動させることにより係合板９を係合又は非係合状態にすることも可能である。ただし、この場合は弾性片１５を設けず、従って、押下げヘッド外周壁８と内筒１０ａとは互いに連結しない。
【００１５】
【発明の効果】
請求項１及び２記載のエアゾール式噴出容器は、ノズル付き押下げヘッド外周壁から突設する係合板へ係合してノズル付き押下げヘッドの押下げを不能にするストッパ部材を設けたので、ストッパ部材を非係合位置に位置させない限りノズル付き押下げヘッドの押下げは不可能であり、従って、子供の悪戯等による噴出防止が可能になる。
【図面の簡単な説明】
【図１】本発明に係るエアゾール式噴出容器を示すもので、ストッパ部材の非係合位置を示す斜視図。
【図２】同じく、ストッパ部材の係合位置を示す断面図。
【図３】同じく、ストッパ部材の係合位置を示す斜視図。
【符号の説明】
１  周壁
２  環状突部
３  頂壁
５  ステム案内筒
６  噴出用ステム
７  ステム嵌合筒
８  外周壁
９  係合板
１０ａ  内筒
１０ｂ  外筒
１１  頂板
１２  案内凹部
１５  弾性片
１６  基筒部
１７  起立板
１８  第１係合突部
１９  第２係合突部
Ａ  エアゾール缶
Ｂ  ノズル付き押下げヘッド
Ｃ  基部材
Ｄ  ストッパ部材
【図１】
0003805526.tif 000002
【図２】
0003805526.tif 000003
【図３】
0003805526.tif 000004